(57)【要約】【課題】簡易に携帯できて対象物の形状を問わずに長さ計測でき、且つ必要に応じて何度でも長さ計測のために使用可能な目盛り付き貼着体を提供する。【解決手段】目盛り付き貼着体(100)は、可撓性シートを直線状の一辺(15a)を有する形状に裁断することによりシート本体(1)が形成され、シート本体(1)の表面には長さ計測用の目盛り部(13)が一辺(15a)に沿って印刷され、シート本体(1)の裏面には再剥離再貼着可能な弱粘着剤層(2)が形成されている。【選択図】図１
0003146875.tif 000002
【実用新案登録請求の範囲】
【請求項１】
可撓性シートを直線状の一辺を有する形状に裁断することによりシート本体が形成され、
前記シート本体の表面には、長さ計測用の目盛りが前記一辺に沿って印刷され、
前記シート本体の裏面には、再剥離再貼着可能な弱粘着剤層が形成されている目盛り付き貼着体。
【請求項２】
請求項１に記載の目盛り付き貼着体において、
前記シート本体の表面全域には、透明樹脂製の被覆シートが被覆されている目盛り付き貼着体。
【請求項３】
請求項１又は２に記載の目盛り付き貼着体において、
前記シート本体は、表面に前記目盛りが印刷される表面シートと、前記表面シートの裏面に貼着され且つ裏面に前記弱粘着剤層が形成されている基台シートとの二層構造である目盛り付き貼着体。
【請求項４】
請求項３に記載の目盛り付き貼着体において、
前記表面シートは、１００ミクロン厚の透明なポリエチレンテレフタレート樹脂であり、
前記基台シートは、５０ミクロン厚の透明なポリエチレンテレフタレート樹脂である目盛り付き貼着体。
【請求項５】
請求項１乃至４のいずれかに記載の目盛り付き貼着体において、
前記弱粘着剤層は、剥離台紙によって被覆されている目盛り付き貼着体。
【請求項６】
請求項１乃至５のいずれかに記載の目盛り付き貼着体において、
前記シート本体は、横長矩形状とし、その長辺の一方に沿って少なくとも１０センチメートル分の前記目盛りが印刷されている目盛り付き貼着体。
【考案の詳細な説明】
【技術分野】
【０００１】
本考案は、長さを測る定規として使用できる目盛り付き貼着体に関する。
【背景技術】
【０００２】
従来、例えば、外出先等で簡易に対象物の長さを計測可能とするものとして、一般的な硬質樹脂製の定規を手帳に綴じて附属させたものが流通している（特許文献１）。手帳ならば常時携帯していることから、外出先で長さを測りたい場合には、手帳から定規を取り出して対象物の長さを簡易に計測することができる。
しかしながら、硬質樹脂製の定規では、対象物の平面の直線部分の長さしか計測することができず、曲面に沿った長さを正確に測ることができない。又、定規は手帳に綴じられるものの、手帳とは別体であるから紛失してしまうおそれもある。
【特許文献１】特開平１０−３２５７０１号公報
【考案の開示】
【考案が解決しようとする課題】
【０００３】
本考案は、上記事情に鑑み、簡易に携帯できて対象物の形状を問わずに長さ計測でき、且つ必要に応じて何度でも長さ計測のために使用可能な目盛り付き貼着体を提供することを課題とするものである。
【課題を解決するための手段】
【０００４】
本考案に係る目盛り付き貼着体は、
可撓性シートを直線状の一辺を有する形状に裁断することによりシート本体が形成され、
前記シート本体の表面には、長さ計測用の目盛りが前記一辺に沿って印刷され、
前記シート本体の裏面には、再剥離再貼着可能な弱粘着剤層が形成されているものである。
【０００５】
上記構成によれば、シート本体は、紙又は軟質樹脂シート等の可撓性のあるシート材を所定の形状に裁断したものであり、直線状の一辺を有していれば、通常の定規のような横長矩形状はもちろん、三角形や他の形状も採用可能である。
【０００６】
ところで、裏面に粘着剤層が形成された帯状シール体の表面に定規の目盛りを形成した目盛り付き貼着体は、実用新案登録第３０４８７０９号としてすでに考案されている。このものでは、ハサミやまな板、下敷き等、身近なものに目盛り付き貼着体を貼着させることにより、これらハサミやまな板等を、長さを測りたい対象物の物差しとして、正規の定規の代わりに利用することができる。しかしながら、上記の目盛り付き貼着体では、一度、ある被貼着物に貼付してしまうと、その被貼着物が物差し代わりに利用できるようになるというだけで、他の被貼着物に貼り替えて使用することはできない。よって、外出先等で前記被貼着物が手元にない場合には、前記目盛り付き貼着体を利用することはできない。
【０００７】
これに対して、本考案では、シート本体の表面には前記一辺に沿って、通常の定規と同じような、長さ計測用の目盛りが印刷されていると共に、シート本体の裏面には再剥離再貼着可能な弱粘着剤層が形成されていることから、この弱粘着剤層を利用して、例えば、手帳や財布等の所定の被貼着箇所にシート本体を貼着して簡易に携帯することができる。そして、必要に応じてシート本体を被貼着箇所から剥離させて、長さを測りたい対象物の所定箇所に前記一辺が沿うように、裏面の弱粘着剤層を利用して貼着させて、前記一辺に沿った目盛りでその長さを測ることができる。シート本体は可撓性シートから構成されているから、対象物が円弧状のもの等の曲面を有する形状のものであっても、その曲面に沿って貼着させて正確に長さ計測することができる。又、弱粘着剤層は再剥離再貼着可能であるから、計測が終われば、シート本体を前記対象物から剥離させ、手帳や財布等の元の被貼着箇所に再貼着させることができる。対象物から剥離させても、対象物にシート本体を剥がした後が残ることもない。
【０００８】
前記シート本体の表面全域には、透明樹脂製の被覆シートが被覆されていることが望ましい。
これにより、目盛りが印刷されている被覆シートの表面に被覆シートを被覆することによって、前記目盛り部分が保護され、長期の使用によっても目盛り部分がかすれたりシート本体が破れたりする不都合がない。又、被覆シートは透明樹脂により形成されているから、被覆シートを通して目盛りを確実に確認することができる。
【０００９】
前記シート本体は、表面に前記目盛りが印刷される表面シートと、前記表面シートの裏面に貼着され且つ裏面に前記弱粘着剤層が形成されている基台シートとの二層構造であることが望ましい。
これにより、シート本体の強度と可撓性とを確保することができる。
【００１０】
前記表面シートは、１００ミクロン厚の透明なポリエチレンテレフタレート樹脂であり、
前記基台シートは、５０ミクロン厚の透明なポリエチレンテレフタレート樹脂であるものとしてもよい。
これにより、シート本体は、貼着体としての十分な厚さと強度を有すると共に、対象物の曲面に沿って撓ませることもできる。又、全体に透明であるから、対象物に貼着しても、前記対象物の表面の模様や文字等はシート本体を透過して確認することができ、且つその長さも計測することができる。
【００１１】
前記弱粘着剤層は、剥離台紙によって被覆されていることが望ましい。
これにより、弱粘着剤層を保護することができると共に、再貼着再剥離が容易となる。また、シート本体を剥離台紙に貼着させた状態で弱粘着剤層の粘着性能を劣化させず携帯することができ、その状態で需要者に提供することができる。
【００１２】
前記シート本体は、横長矩形状とし、その長辺の一方に沿って少なくとも１０センチメートル分の目盛りが印刷されていることが望ましい。
これにより、小さい物の長さを簡易に測るのに都合がよい。
【考案の効果】
【００１３】
以上のように、本考案によれば、シート本体は、裏面の弱粘着剤層を利用して手帳や財布等の常時携帯する持ち物の被貼着箇所に貼着しておくことができるので、外出中に長さを測定する必要がある場合にすばやく対応できる上に、対象物の形状も問わないから、定規としての使用範囲が広がる。又、測定後は前記持ち物の被貼着箇所に再貼着させておくことができるので、シート本体を紛失することもない。さらに、対象物に貼着させたシート本体を剥離させてもシート本体の跡が残らないから、対象物を汚損させることもない。
【００１４】
また、前記シート本体の表面全域には、透明樹脂製の被覆シートが被覆されることにより、長期の使用にも耐える丈夫な目盛り付きのシート本体を提供することができる。
【００１５】
また、シート本体を表面シートと基台シートの二層構造とすることにより、シート本体のこしが強くなり、長さの計測時にシート本体が安定し、定規として使い勝手がよいものとなる。
【００１６】
また、前記表面シートを１００ミクロン厚の透明なポリエチレンテレフタレート樹脂とし、前記基台シートを５０ミクロン厚の透明なポリエチレンテレフタレート樹脂とすることにより、貼着体としての強度及び可撓性が確保されるから、定規としての使い勝手が良くなる上に、全体を透明体とすることにより、対象物の測定したい箇所がシート本体によって隠れることがないので、より一層使い勝手が良いものとなる。
【００１７】
また、前記弱粘着剤層は、剥離台紙によって被覆されることにより、シート本体の裏面の弱粘着剤層を保護することができ、弱粘着剤層の粘着力を良好に維持することができる。従って、携帯性、需要者への提供に便利である。
【００１８】
また、前記シート本体は、横長矩形状とし、その長辺の一方に沿って少なくとも１０センチメートル分の目盛りが印刷されることにより、手帳等に貼着して携帯し、小さい物の長さを簡易に測るのに便利である。
【考案を実施するための最良の形態】
【００１９】
以下に、本考案を実施するための最良の形態について添付図面を参照しながら説明する。
本考案の実施の形態における目盛り付き貼着体は、図１に示すように、横長矩形状のシート本体(1)からなり、その表面の一辺に沿って、１０mm〜１００mmまでの目盛りが印刷された目盛り部(13)が設けられているとともに、裏面には、再剥離再貼着可能な弱粘着剤層(2)が形成されている。尚、この弱粘着剤層(2)は、剥離台紙(3)によって被覆されている。
【００２０】
シート本体(1)は、図２に示すように、目盛り部(13)が印刷されている表面シート(11)と、表面シート(11)の裏面に貼着され且つ裏面に弱粘着剤層(2)が形成されている基台シート(12)の二層構造からなると共に、表面シート(11)の表面には、被覆シート(10)を被覆させて、全体として三層構造の目盛り付き貼着体(100)を構成している。さらに、弱粘着剤層(2)を剥離台紙(3)に貼着させることにより、剥離台紙(3)を合わせると、全体で四層構造となっている。
【００２１】
これら被覆シート(10)、表面シート(11)及び基台シート(12)の各々の厚みは、被覆シート(10)が１６ミクロン、表面シート(11)が１００ミクロン、基台シート(12)が５０ミクロンに設定されている。これにより、目盛り付き貼着体(100)の全体の厚みは１６６ミクロンとなり、定規としての十分な強度と適度な可撓性を有するシートとなる。又、表面シート(11)の表面に設けた目盛り部(13)は被覆シート(10)によって覆われることから、外的衝撃から保護され、印刷部分がかすれたり、表面シート(11)が破損する不都合を防止し、正しい目盛りを維持することができる。
【００２２】
被覆シート(10)、表面シート(11)及び基台シート(12)は全て透明なポリエチレンテレフタレート製シートから構成されていると共に、被覆シート(10)を表面シート(11)に貼着させている第１粘着剤層(21)、及び、表面シート(11)を基台シート(12)に貼着させている第２粘着剤層(22)、さらに、弱粘着剤層(2)を構成する各粘着剤も全て透明な材質のものを採用した。
【００２３】
剥離台紙(3)と合わせて四層構造の積層体を、図１に示すように、手帳に挟める程度の大きさの長方形状の外周縁(14)に沿って打ち抜くと共に、その略中央部分に位置する長辺長さ１１５mm、短辺長さ３５mmの長方形状の打ち抜き線(15)に沿って、剥離台紙(3)以外の部分（被覆シート(10)及び二層構造のシート本体(1)を含む）を打ち抜く。これにより、長方形状の剥離台紙(3)の上に、打ち抜き線(15)で囲まれている目盛り付き貼着体(100)が形成されることとなり、打ち抜き線(15)で囲まれた範囲のみを剥離させて、目盛り付き貼着体(100)を取り出すことができる。尚、打ち抜き線(15)の一辺(15a)は、表面シート(11)の表面に印刷されてある目盛り部(13)に沿って裁断されるように設定されている。
【００２４】
剥離台紙(3)の大きさを手帳サイズ以下に合わせておけば、手帳の１頁として前記積層体を綴じておくことができ、外出時等でも、必要に応じて、目盛り付き貼着体(100)を手帳から取り出して、目盛り部(13)で対象物の長さを測定することができる。
【００２５】
目盛り付き貼着体(100)は剥離台紙(3)に貼着していることから、容易に剥離可能であり、裏面の弱粘着剤層(2)は再貼着可能であるから、測定したい対象物の所定箇所に目盛り部(13)が位置するように目盛り付き貼着体(100)を前記対象物に再貼着させることができる。対象物に貼着させると不用意にずれることがないので、対象物の所定箇所の長さを確実に測定することができる。又、目盛り付き貼着体(100)は、三層構造にすることによって適度なこしと可撓性を有するシートに構成されているから、対象物が平滑状のものはもちろん、屈曲表面を有する形状のものであっても、屈曲表面に沿って湾曲させた状態で目盛り付き貼着体(100)を所定箇所に貼着させることができ、正しい長さを測定することができる。
【００２６】
又、目盛り付き貼着体(100)全体の透明性が確保されているから、測定される対象物に貼着したとき、目盛り付き貼着体(100)の貼着域に記載されている模様や文字等を、目盛り付き貼着体(100)を透過させて確認しながら測定することができる。
測定後は、対象物から再剥離させ、元の剥離台紙(3)上に再貼着させれば良く、目盛り付き貼着体(100)を剥離させた後の対象物に跡が残って見苦しくなるといった不都合もないことから、対象物が店頭の商品であっても問題はない。
【００２７】
尚、上記実施の形態では、目盛り付き貼着体(100)は、使用後には手帳内の剥離台紙(3)上に戻すようにしたが、剥離台紙(3)は必ずしも必要ではなく、手帳の他の頁に直接貼着させておいても良いし、手帳以外の他の持ち物、例えば、サイフや定期入れ、各種の帳面、携帯電話機等の所定箇所に貼着させておいても同様の機能を発揮させることができる。
【００２８】
又、表面シート(11)の表面への印刷内容は自由であり、目盛り以外に、社名やイラスト等も印刷しておくこともできる。さらに、目盛り付き貼着体(100)に透明性を要求しなければ、シート本体(1)を紙や不透明な色付きの樹脂で構成することも可能である。
【００２９】
上記実施の形態のものでは、目盛り付き貼着体(100)の形状は横長長方形の一般的な定規(30)の形状としたが、目盛り部(13)が印刷できる直線状の一辺(15a)を有する形状であれば、全体の形状は何ら限定されるものではない。例えば、図３に示すように、剥離台紙(3)に弱粘着剤層(2)で貼着させているシート本体(1)及び被覆シート(10)を所定形状の打ち抜き線(15)に沿って打ち抜くことにより、横長矩形状の定規(30)、三角定規を構成する直角三角形(31)や二等辺三角形(32)、又は、半円形に形成して角度測定用の目盛り(16)を印刷したりしておけば、分度器(33)としても使用でき、長さのほか、角度を測ることも可能となる。
【００３０】
更に、上記実施の形態のものでは、表面シート(11)及び基台シート(12)は、１層構造とするが、表面シート(11)又は／及び基台シート(12)は、２層以上の多層構造であってもよい。
【図面の簡単な説明】
【００３１】
【図１】実施の形態の目盛り付き貼着体の使用前の様子を示す平面図である。
【図２】実施の形態の目盛り付き貼着体の断面図である。
【図３】実施の形態の目盛り付き貼着体の他の例を示す平面図である。
【符号の説明】
【００３２】
１  シート本体
２  弱粘着剤層
３  剥離台紙
１０  被覆シート
１１  表面シート
１２  基台シート
１３  目盛り部
１４  外周縁
１５  打抜き線
１５ａ  直線状の一辺
２１  第１粘着剤層
２２  第２粘着剤層
１００  目盛り付き貼着体
【図１】
0003146875.tif 000003
【図２】
0003146875.tif 000004
【図３】
0003146875.tif 000005